(57)【要約】【課題】一般的なベッドや和室使用の布団等、使用場所を問わず、要介護者は固より、一般人も手軽に使用でき、特に、ヘッドのあるベッドにおいて使用する場合にヘッドから離れることなく膨隆するため、安定して使い勝手がよい起床支援装置を提供することを課題とする。【解決手段】エアバッグ１とエアバッグ１に空気を供給して膨隆させるエアポンプ２とから成り、エアバッグ１は完全膨隆時において、斜面１ａが人体に対する作用面となる断面直角三角形状を呈する。【選択図】図１
2018175576.tif 000002
【特許請求の範囲】
【請求項１】
エアバッグと前記エアバッグに空気を供給して膨隆させるエアポンプとから成り、前記エアバッグは完全膨隆時において、斜面が人体に対する作用面となる断面直角三角形状を呈することを特徴とする起床支援装置。
【請求項２】
前記膨張体の底面に移動防止用シートが延設されている、請求項１に記載の起床支援装置。
【請求項３】
前記エアポンプから伸びるエアホースの先端は、前記エアバッグのエアホース接続口に揺動自在に接続される、請求項１又は２に記載の起床支援装置。
【請求項４】
前記エアホース接続口は前記エアバッグの両側面に設置され、前記エアホースの先端はそのいずれかのエアホース接続口に選択的に接続可能である、請求項３に記載の起床支援装置。
【請求項５】
前記エアポンプのケースには、エアポンプ本体から出るコード及びその先端に取り付けられるリモコンを収納するための開口が形成されている、請求項１乃至４のいずれかに記載の起床支援装置。
【請求項６】
前記エアポンプは防音材が内装された防音バッグ内に収納されている、請求項１乃至５のいずれかに記載の起床支援装置。
【発明の詳細な説明】
【技術分野】
【０００１】
本発明は、起床支援装置に関するものであり、より詳細には、空気圧によって臥床中の利用者（要介護者並びに一般人）の上半身を起こすための起床支援装置に関するものである。
【背景技術】
【０００２】
自ら臥床状態から上半身を起こすことが困難な要介護者の起床動作を支援するための装置が種々提唱され、供給されている。その多くはベッド自体がその機能を有するものであるが、そのような特殊ベッドは機構が複雑でコストが嵩むため、一般向きではない。そこで、ベッドとは切り離されていて、和室使用の布団や一般のベッド等において利用可能な起床支援装置として、エアバッグを用いたエア膨隆式の装置が種々提案されている（実開平１−６８０３４号公報、実開平６−６８５５４号公報、特開２０００−２２９１０６号公報）。
【先行技術文献】
【特許文献】
【０００３】
【特許文献１】実開平１−６８０３４号公報
【特許文献２】実開平６−６８５５４号公報
【特許文献３】特開２０００−２２９１０６号公報
【発明の概要】
【発明が解決しようとする課題】
【０００４】
しかるに、上記従来のエアバッグを用いたエア膨隆式の起床支援装置の場合、膨隆時にエアバッグが断面正三角形状となるものが多い（例えば、特許文献１参照）。このエアバッグの場合、収縮時にはその頂点部が底辺の中央部に位置しており、その状態で敷布団を重ねると、その頂点部は敷布団の上端部から少し下方にずれたところに位置することになる。その状態でエアバッグを膨隆させると、敷布団の頂点部より上の部分がエアバッグの斜面に沿って垂れ下がる不都合が生じ（図４（Ｂ）参照）、そのまま使用した場合には、使用者の頭部も後方に垂れてしまうという問題が起こる。この問題は、特に和室使用の場合に起こり得る。
【０００５】
そこで本発明は、和室使用の布団や一般的なベッド等、使用場所を問わず、要介護者は固より、一般人も手軽に使用でき、特に、和室使用の場合、敷布団の上端部が後面に垂れ下がることがなく、安定した状態で使用できる起床支援装置を提供することを課題とする。
【課題を解決するための手段】
【０００６】
上記課題を解決するための請求項１に記載の発明は、エアバッグと前記エアバッグに空気を供給して膨隆させるエアポンプとから成り、前記エアバッグは完全膨隆時において、斜面が人体に対する作用面となる断面直角三角形状を呈することを特徴とする起床支援装置である。
【０００７】
一実施形態においては、前記膨張体の底面に移動防止用シートが延設されている。
【０００８】
前記エアポンプから伸びるエアホースの先端は、前記エアバッグのエアホース接続口に揺動自在に接続される。前記エアホース接続口は前記エアバッグの両側面に設置され、前記エアホースの先端はそのいずれかのエアホース接続口に選択的に接続可能にされることもある。
【０００９】
一実施形態においては、前記エアポンプのケースには、エアポンプ本体から出るコード及びその先端に取り付けられるリモコンを収納するための開口が形成されている。また、一実施形態においては、前記エアポンプは防音材が内装された防音バッグ内に収納されていることもある。
【発明の効果】
【００１０】
本発明に係る起床支援装置は上記のとおりであるので、和室使用の布団や一般的なベッド等、使用場所を問わず、要介護者は固より、一般人も手軽に使用でき、特に、和室使用の場合、敷布団の上端部が後面に垂れ下がることがなく、使い勝手がよいという効果がある。
【図面の簡単な説明】
【００１１】
【図１】本発明に係る起床支援装置の膨隆時の状態を示す斜視図である。
【図２】本発明に係る起床支援装置の使用状態を示す斜視図である。
【図３】本発明に係る起床支援装置におけるエアポンプのケースの構成を示す斜視図である。
【図４】本発明に係る起床支援装置の作用効果を従来のエアバッグと比較して示した図である。
【発明を実施するための形態】
【００１２】
本発明を実施するための形態につき、添付図面を参照しつつ詳細に説明する。本発明に係る起床支援装置は、エアバッグ１とエアバッグ１に空気を供給して膨隆させるエアポンプ２とから成り、エアバッグ１が完全膨隆時において、斜面が人体に対する作用面となる断面直角三角形状を呈することを特徴とするものである。エアバッグ１は厚手の樹脂シート製で、平坦に折り畳み可能であり、空気を送り込むことにより膨隆するものである。エアバッグ１の完全膨隆時における高さ及び底面の長さは、通例５０〜６０ｃｍほどであり、底面の幅は、敷布団２１と同じかそれより少し短めにされる。
【００１３】
使用時に敷布団２１を介して利用者２０の上半身が当接することになるエアバッグ１の斜面１ａは平坦であってもよいが、好ましくは、図示した例のように、断面が緩やかな波状となるように形成される。そのようにすることにより、背部の滑りが防止されて、背当たり感がよくなる。また、エアバッグ１の底面が正面長さ方向に延長されて、移動防止用シート３が連設される。この移動防止用シート３は、使用時に負荷（使用者の体重）がかかることで、エアバッグ１がずれ動くことを防止する。移動防止用シート３は、特に和室での使用や、ヘッドのないベッドでの使用時に有効である。
【００１４】
エアバッグ1の一側面にエアホース接続口４が配設され、そこにエアポンプ２から伸びるエアホース５が接続される。エアホース５は、エアホース接続口４に対して垂直方向に揺動可能に接続されることが好ましい。また、エアホース接続口４をエアバッグ１の両側面に配設し、そのいずれかを選択使用可能にしてもよい。
【００１５】
エアポンプ２は一般家庭電源又は内蔵バッテリーを電源としてモータ駆動され、リモコン６の操作により、エアバッグ１内に空気を供給し、また、エアバッグ１内の空気を排出するよう作用する。エアポンプ２の駆動モータとしては、正逆回転モータを使用することができるが、それに限らず、例えば、モータからの風の流れをポンプ内で切り替え可能にしたエアポンプを採用することもできる。エアポンプ２は、防音材８が内装された防音バッグ７内に収納されて使用されることもあり、その場合は防音材８の作用でエアポンプ２の動作音をより低減する。
【００１６】
エアポンプ２の樹脂ケース９には、駆動モータから出るコード１０及びその先端に取り付けられるリモコン６を収納するための収納口１１が形成され、また、エアホース５を接続するためのエアホース接続口１２が突設される（図３参照）。なお、防音バッグ７を使用する場合は、防音バッグ７に、このエアホース接続口１２を露出させるための開口と、リモコン６のコード１０を引き出すためのコード引出し用開口とを開設すると良い。
【００１７】
リモコン６は、本装置を手元操作するためのもので、例えば、給気、排気、ＦＬＡＴ等の選択ボタンが配備される。が、更に、安全のための非常停止ボタンが配備されることが好ましい。
【００１８】
本発明に係る起床支援装置は、臥床する要介護者等の利用者２０が上半身を起こす動作を支援するためのものであり、エアバッグ１を平坦に畳んだ状態において、敷布団２１の背中当接部の下に挟み入れておく。その際、エアバッグ１の頂点部を、敷布団２１の上端部の裏に位置させる。そして、起床時にリモコン６の給気ボタンを押すと、エアポンプ２が作動し、エアホース５を介してエアバッグ１内に空気が供給されることでエアバッグ１は次第に膨らみ、その上の敷布団２１を介して利用者２０の背中を押し上げていく。
【００１９】
この膨隆動作の際エアバッグ１の頂点部は、円弧状ではなく垂直に上昇していくので、利用者２０の背中の押上げを無理なくスムーズに行うことができる。また、その際、エアバッグ１の頂点部が敷布団２１の上端部を押し上げていくことになるので、敷布団２１の上端部がエアバッグ１の後面側に垂れ下がることはなく、利用者２０の頭部がエアバッグ１の後面側に垂れ下がるということもない。更に、エアバッグ１の頂点部が円弧状ではなく垂直に上昇していくので、上昇のためのスペースも少なくて済むため、ヘッド２３付きベッド２２の場合にも有効である。
【００２０】
エアバッグ１が断面直角三角形状となったところでエアポンプ２の動作が停止し、利用者２０は、上半身が所定角度（例えば、４５度）に起こされる（図２参照）。その後、仰向け姿勢に戻る場合は、リモコン６の排気ボタンを押せば、エアバッグ１はエアポンプ２の作用で空気が抜かれて次第に萎み、やがて当初の平坦な状態に戻る。
【００２１】
本発明に係る起床支援装置は上記のとおりであって、構成簡易で比較的廉価にて供給でき、ベッド並びに和室での使用が可能で、簡単な操作で利用者の起床動作を補助することができるものであり、その産業上の利用可能性は大である。
【符号の説明】
【００２２】
１      エアバッグ
２      エアポンプ
３      移動防止用シート
４      エアホース接続口
５      エアホース
６      リモコン
７      防音バッグ
８      防音材
９      ケース
１０    コード
１１    収納口
１２    エアホース接続口
２０    利用者
２１    敷布団
２２    ベッド
２３    ヘッド
【図１】
2018175576.tif 000003
【図２】
2018175576.tif 000004
【図３】
2018175576.tif 000005
【図４】
2018175576.tif 000006